(57)【要約】      （修正有）【課題】内線電話網を容易に構築が可能な電話システムを提供する。【解決手段】内線閉番号が割り当てられている電話機からの呼出に応じて、通信端末装置が、呼出先の電話機に対応した内線閉番号及びこの電話機が接続されている通信端末装置に割り当てられている加入者電話番号を夫々示す呼出要求パケットを、公衆ネットワーク上に設置されているサーバに対して行う。サーバは、かかる呼出要求パケットを受信すると、この呼出要求パケットにて示される加入者電話番号に対応したアドレスを送信先として、呼出先の電話機に対応した内線閉番号を示す呼出指令パケットを公衆ネットワーク上に送出する。かかる呼出指令パケットを受信した通信端末装置は、この呼出指令パケットにて示される内線閉番号が割り当てられている電話機に対して内線呼出を行う。【選択図】図１
2005236725.tif 000002
【特許請求の範囲】
【請求項１】
閉番号が割り当てられている複数の電話機を有する電話システムであって、
各々に少なくとも１の前記電話機が接続されており且つ夫々に加入者電話番号が割り当てられている複数の通信端末装置と、公衆ネットワーク上でのアドレスと前記加入者電話番号とが対応づけして登録されているデータベースを備えたサーバと、を有し、
前記通信端末装置は、接続されている１の前記電話機からの呼出に応じて呼出先の前記電話機に対応した前記閉番号、及び前記呼出先の前記電話機が接続されている前記通信端末装置に割り当てられている前記加入者電話番号を示す情報を含む呼出要求パケットを前記公衆ネットワークを介して前記サーバに送信する呼出要求手段と、
前記公衆ネットワークを介して内線呼出指令パケットを受信した場合にこの内線呼出指令パケットにて示される前記閉番号が割り当てられている前記電話機に対して呼出を行う呼出手段と、を含み、
前記サーバは、前記呼出要求パケットの受信に応じて当該呼出要求パケットにて示される前記加入者電話番号に対応した前記アドレスを前記データベース内から検索する検索手段と、
検索された前記アドレスを送信先として前記呼出要求パケットにて示される前記閉番号を示す情報を含むパケットを生成しこれを前記内線呼出指令パケットとして前記公衆ネットワーク上に送出する内線呼出指令送出手段と、を含むことを特徴とする電話システム。
【請求項２】
前記公衆ネットワーク上には前記加入者電話番号が割り当てられた複数の加入者電話機が接続されており、
前記通信端末装置は、接続されている１の前記電話機からの呼出による呼出先が前記加入者電話機である場合にはこの加入者電話機に割り当てられている加入者電話番号を示す情報を含む呼出要求パケットを前記公衆ネットワークを介して前記サーバに送信する手段を更に有し、
前記サーバは、受信した前記呼出要求パケット中に前記閉番号を示す情報が含まれていない場合には前記アドレスを送信先として外線呼出指令パケットを前記公衆ネットワーク上に送出する外線呼出指令送出手段を更に有することを特徴とする請求項１記載の電話システム。
【発明の詳細な説明】
【技術分野】
【０００１】
本発明は、夫々に閉番号が割り当てられている電話機間で音声通話を行えるようにした電話システムに関する。
【背景技術】
【０００２】
現在、企業内において、ＶｏＩＰ（Voice over Internet Protocol）技術を採用することにより、既存のＬＡＮ（Local Area Network）又はＷＡＮ（Wide Area Network）を用いて内線電話網を構築するようにした電話システムの導入が図られている（特許文献１参照）。
【０００３】
この際、音声通話ではリアルタイム性が要求される為、上述した如きＶｏＩＰ技術を採用した電話システムでは、音声パケットの伝送を他の情報データパケットに対して優先させると共に音声パケット用に十分な帯域を新たに確保する必要がある。
【０００４】
従って、既に構築済みのＬＡＮ又はＷＡＮを再構築し直さなければならないという問題があった。
【特許文献１】特開２０００−３５８０９８号公報
【発明の開示】
【発明が解決しようとする課題】
【０００５】
本発明は、内線電話網を容易に構築が可能な電話システムを提供することである。
【課題を解決するための手段】
【０００６】
本発明による電話システムは、閉番号が割り当てられている複数の電話機を有する電話システムであって、各々に少なくとも１の前記電話機が接続されており且つ夫々に加入者電話番号が割り当てられている複数の通信端末装置と、公衆ネットワーク上でのアドレスと前記加入者電話番号とが対応づけして登録されているデータベースを備えたサーバと、を有し、前記通信端末装置は、接続されている１の前記電話機からの呼出に応じて呼出先の前記電話機に対応した前記閉番号、及び前記呼出先の前記電話機が接続されている前記通信端末装置に割り当てられている前記加入者電話番号を示す情報を含む呼出要求パケットを前記公衆ネットワークを介して前記サーバに送信する呼出要求手段と、前記公衆ネットワークを介して内線呼出指令パケットを受信した場合にこの内線呼出指令パケットにて示される前記閉番号が割り当てられている前記電話機に対して呼出を行う呼出手段と、を含み、前記サーバは、前記呼出要求パケットの受信に応じて当該呼出要求パケットにて示される前記加入者電話番号に対応した前記アドレスを前記データベース内から検索する検索手段と、検索された前記アドレスを送信先として前記呼出要求パケットにて示される前記閉番号を示す情報を含むパケットを生成しこれを前記内線呼出指令パケットとして前記公衆ネットワーク上に送出する内線呼出指令送出手段と、を含む。
【発明の効果】
【０００７】
本発明による電話システムによれば、公衆のネットワーク網を利用して内線電話網を構築することができるので、既存のＬＡＮ又はＷＡＮ等のネットワーク網をＶｏＩＰ用に再構築、あるいは新規にＶｏＩＰ専用のネットワークシステムを構築する必要が無くなる。
【発明を実施するための最良の形態】
【０００８】
内線閉番号が割り当てられている電話機からの呼出に応じて、通信端末装置が呼出先の電話機に対応した内線閉番号及びこの電話機が接続されている通信端末装置に割り当てられている加入者電話番号を夫々示す呼出要求パケットを、公衆ネットワーク上に設置されているサーバに対して行う。サーバは、かかる呼出要求パケットを受信すると、この呼出要求パケットにて示される加入者電話番号に対応したアドレスを送信先として、呼出先の電話機に対応した内線閉番号を示す呼出指令パケットを公衆ネットワーク上に送出する。かかる呼出指令パケットを受信した通信端末装置は、この呼出指令パケットにて示される内線閉番号が割り当てられている電話機に対して内線呼出を行う。
【実施例】
【０００９】
本発明の実施例について添付の図面を参照して詳細に説明する。
【００１０】
図１は、本発明による電話システムを示す図である。
【００１１】
図１において、公衆のＩＰネットワーク１上には、加入者毎に設置される加入者電話機２、構内電話システム３及びＶｏＩＰサーバ４が接続されている。
【００１２】
加入者電話機２は、使用者によって電話番号の入力が為されたら、電話の呼び出し処理（説明せず）を行う。又、加入者電話機２は、使用者の音声をディジタルパケット化した音声パケットをＩＰネットワーク１上に送出する。加入者電話機２には加入者電話番号が割り当てられている。
【００１３】
構内電話システム３は、ＶｏＩＰ端末装置３１及び３２、交換機３３及び３４、電話機３５1〜３５4からなる。尚、ＶｏＩＰ端末装置３１及び３２には夫々加入者電話番号が割り当てられており、交換機３３及び３４各々には交換機局番が割り当てられている。ＶｏＩＰ端末装置３１には交換機３３が接続されており、ＶｏＩＰ端末装置３２には交換機３４が接続されている。又、ＶｏＩＰ端末装置各々の内蔵メモリ（図示せぬ）には、構内電話システム３に設置されている全てのＶｏＩＰ端末装置各々の加入者電話番号と、そのＶｏＩＰ端末装置に接続されている交換機の交換機局番とが対応づけして記憶されている。又、交換機３３には電話機３５1及び３５2が接続されており、交換機３４には電話機３５3及び３５4が接続されている。
【００１４】
電話機３５1は、呼出先の電話番号の入力が使用者によって為されたら、その電話番号を示す呼出要求信号ＣＬ1を交換機３３に供給する。又、電話機３５1は、交換機３３から呼出信号ＩＮ1が供給された場合には、内蔵スピーカ（図示せず）から着信呼出音を音響出力させる。更に、電話機３５1は、使用者が発話した音声を電気信号に変換した送信音声信号ＡＴ1を交換機３３に供給すると共に、交換機３３から供給された受信音声信号ＡＲ1に対応した音声を上記内蔵スピーカにて音響出力させる。電話機３５2は、呼出先の電話番号の入力が使用者によって為されたら、その電話番号を示す呼出要求信号ＣＬ2を交換機３３に供給する。又、電話機３５2は、交換機３３から呼出信号ＩＮ2が供給された場合には、内蔵スピーカ（図示せず）から着信呼出音を音響出力させる。更に、電話機３５2は、使用者が発話した音声を電気信号に変換した送信音声信号ＡＴ2を交換機３３に供給すると共に、交換機３３から供給された受信音声信号ＡＲ2に対応した音声を上記内蔵スピーカにて音響出力させる。電話機３５3は、呼出先の電話番号の入力が使用者によって為されたら、その電話番号を示す呼出要求信号ＣＬ3を交換機３４に供給する。又、電話機３５3は、交換機３４から呼出信号ＩＮ3が供給された場合には、内蔵スピーカ（図示せず）から着信呼出音を音響出力させる。更に、電話機３５3は、使用者が発話した音声を電気信号に変換した送信音声信号ＡＴ3を交換機３４に供給すると共に、交換機３４から供給された受信音声信号ＡＲ3に対応した音声を上記内蔵スピーカにて音響出力させる。電話機３５4は、呼出先の電話番号の入力が使用者によって為されたら、その電話番号を示す呼出要求信号ＣＬ4を交換機３４に供給する。又、電話機３５4は、交換機３４から呼出信号ＩＮ4が供給された場合には、内蔵スピーカ（図示せず）から着信呼出音を音響出力させる。更に、電話機３５4は、使用者が発話した音声を電気信号に変換した送信音声信号ＡＴ4を交換機３４に供給すると共に、交換機３４から供給された受信音声信号ＡＲ4に対応した音声を上記内蔵スピーカにて音響出力させる。
【００１５】
尚、電話機３５1〜３５4各々には個別に内線閉番号が割り当てられている。又、交換機３３及び３４各々には個別に交換機局番が割り当てられていると共に、両者に共通の回線捕捉特番が割り当てられている。
【００１６】
ここで、構内電話システム３内に設置されている上記電話機３５1〜３５4各々の内のいずれか１の使用者が、この構内電話システム３内に設置されている他の電話機３５を呼び出すべき内線電話を掛ける場合には、
［回線捕捉特番］−［交換機局番］−［呼出先の内線閉番号］
なる番号列の電話番号を電話機３５に入力する。
【００１７】
一方、外線電話を掛ける場合には、
［回線捕捉特番］−［呼出先の加入者電話番号］
なる番号列の電話番号を電話機３５に入力する。
【００１８】
従って、内線電話の場合には図２（ａ）、外線電話の場合には図２（ｂ）に示す如きフォーマットの呼出要求信号ＣＬ1〜ＣＬ4が交換機３３又は３４に供給されることになる。
【００１９】
交換機３３は、電話機３５1又は３５2から供給された送信音声信号ＡＴ1又はＡＴ2を送信音声信号ＡＴAとしてＶｏＩＰ端末装置３１に中継供給する。更に、この間、交換機３３は、ＶｏＩＰ端末装置３１から供給された受信音声信号ＡＲAにて示される内線閉番号が電話機３５1に該当する場合にはこの受信音声信号ＡＲAを受信音声信号ＡＲ1として電話機３５1に供給する一方、内線閉番号が電話機３５2に該当する場合には受信音声信号ＡＲAを受信音声信号ＡＲ2として電話機３５2に供給する。
【００２０】
又、交換機３３は、電話機３５1又は３５2から呼出要求信号ＣＬ1又はＣＬ2が供給された場合には、この呼出要求信号ＣＬ1又はＣＬ2にて示される番号列中から回線捕捉特番を除外した図３（ａ）又は図３（ｂ）に示す如き呼出要求信号ＣＸAをＶｏＩＰ端末装置３１に供給する。又、交換機３３は、ＶｏＩＰ端末装置３１から、呼出先の内線閉番号を示す呼出指令信号ＩＸAが供給された場合には、図４（ａ）に示す如き呼出電話選択フローに従った制御を実行する。
【００２１】
図４（ａ）において、交換機３３は、先ず、呼出指令信号ＩＸAにて示される内線閉番号が電話機３５1に割り当てられている内線閉番号と等しいか否かを判定する（ステップＳ１）。かかるステップＳ１において、両者が等しいと判定されたら、交換機３３は、呼出信号ＩＮ1を電話機３５1に供給する（ステップＳ２）。かかるステップＳ２の実行により、電話機３５1の内蔵スピーカから着信呼出音が音響出力される。一方、上記ステップＳ１において、呼出指令信号ＩＸAにて示される内線閉番号が電話機３５1に割り当てられている内線閉番号と一致しないと判定された場合、交換機３３は、呼出信号ＩＮ2を電話機３５2に供給する（ステップＳ３）。かかるステップＳ３の実行により、電話機３５2の内蔵スピーカから着信呼出音が音響出力される。
【００２２】
すなわち、上記呼出電話選択フローの実行により、交換機３３は、電話機３５1及び３５2の内、呼出指令信号ＩＸAにて示される内線閉番号に該当する方の電話機３５に対して呼出を行うのである。
【００２３】
交換機３４は、電話機３５3又は３５4から供給された送信音声信号ＡＴ3又はＡＴ4を送信音声信号ＡＴBとしてＶｏＩＰ端末装置３２に中継供給する。更に、この間、交換機３４は、ＶｏＩＰ端末装置３２から供給された受信音声信号ＡＲBに示される内線閉番号が電話機３５3に該当する場合にはこの受信音声信号ＡＲBを受信音声信号ＡＲ3として電話機３５3に供給する一方、内線閉番号が電話機３５4に該当する場合には受信音声信号ＡＲBを受信音声信号ＡＲ4として電話機３５4に供給する。
【００２４】
又、交換機３４は、電話機３５3又は３５4から呼出要求信号ＣＬ3又はＣＬ4が供給された場合には、この呼出要求信号ＣＬ3又はＣＬ4にて示される番号列中から回線捕捉特番を除外した図３（ａ）又は図３（ｂ）に示す如き呼出要求信号ＣＸBをＶｏＩＰ端末装置３２に供給する。又、交換機３４は、ＶｏＩＰ端末装置３２から、呼出先の電話機の内線閉番号を示す呼出指令信号ＩＸBが供給された場合には、図４（ｂ）に示す如き呼出電話選択フローに従った制御を実行する。
【００２５】
図４（ｂ）において、交換機３４は、先ず、呼出指令信号ＩＸBにて示される内線閉番号が電話機３５3に割り当てられている内線閉番号と等しいか否かを判定する（ステップＳ１１）。かかるステップＳ１１において、両者が等しいと判定されたら、交換機３４は、呼出信号ＩＮ3を電話機３５3に供給する（ステップＳ１２）。かかるステップＳ１２の実行により、電話機３５3の内蔵スピーカから着信呼出音が音響出力される。一方、上記ステップＳ１１において、呼出指令信号ＩＸBにて示される内線閉番号が電話機３５3に割り当てられている内線閉番号と一致しないと判定された場合、交換機３４は、呼出信号ＩＮ4を電話機３５4に供給する（ステップＳ１３）。かかるステップＳ１３の実行により、電話機３５4の内蔵スピーカから着信呼出音が音響出力される。
【００２６】
すなわち、上記呼出電話選択フローの実行により、交換機３４は、電話機３５3及び３５4の内、呼出指令信号ＩＸBにて示される内線閉番号に該当する方の電話機３５に対して呼出を行うのである。
【００２７】
ＶｏＩＰ端末装置３１は、交換機３３から送信音声信号ＡＴAが供給された場合には、これをパケット化した音声パケットをＩＰネットワーク１を介してＶｏＩＰサーバ４に送出する。又、ＶｏＩＰサーバ４から送出された音声パケットをＩＰネットワーク１を介して受信した場合には、ＶｏＩＰ端末装置３１は、かかる音声パケットに基づき音声信号を生成しこれを受信音声信号ＡＲAとして交換機３３に供給する。
【００２８】
又、ＶｏＩＰ端末装置３１は、交換機３３から呼出要求信号ＣＸAが供給されると、図５に示す如き呼出要求パケット送出フローに従った制御動作を実行する。  図５において、先ず、ＶｏＩＰ端末装置３１は、図３（ａ）又は図３（ｂ）に示す如き呼出要求信号ＣＸAにて示されている番号が加入者電話番号であるか否かを判定する（ステップＳ５１）。例えば、加入者電話番号の先頭の３つの数字列は「０５０」であるので、ＶｏＩＰ端末装置３１は、この数字列が「０５０」であるか否かを判定することにより、呼出要求信号ＣＸAにて示されている番号が加入者電話番号であるか否かを判定する。かかるステップＳ５１において、加入者電話番号ではないと判定された場合、ＶｏＩＰ端末装置３１は、呼出要求信号ＣＸAにて示されている番号中の例えば先頭から２番目までの数字列を交換機局番として抽出する（ステップＳ５２）。次に、ＶｏＩＰ端末装置３１は、かかる交換機局番が割り当てられている交換機に対応したＶｏＩＰ端末装置の加入者電話番号を内蔵メモリ内から検索する（ステップＳ５３）。次に、ＶｏＩＰ端末装置３１は、このＶｏＩＰ端末装置の加入者電話番号と、呼出要求信号ＣＸAにて示されている呼出先の内線閉番号とを図６（ａ）の如く配列してパケット化した呼出要求パケットＣＲを生成し、これをＩＰネットワーク１を介してＶｏＩＰサーバ４に送信する（ステップＳ５４）。一方、上記ステップＳ５１において、呼出要求信号ＣＸAにて示されている番号が加入者電話番号であると判定された場合、ＶｏＩＰ端末装置３１は、呼出要求信号ＣＸAにて示されている加入者電話番号をパケット化した図６（ｂ）に示す如き呼出要求パケットＣＲを生成し、これをＩＰネットワーク１を介してＶｏＩＰサーバ４に送信する（ステップＳ５５）。
【００２９】
すなわち、ＶｏＩＰ端末装置３１は、交換機３３から呼出要求信号ＣＸAが供給されると、かかる呼出要求信号ＣＸAに基づき図６（ａ）又は図６（ｂ）に示す如き呼出要求パケットＣＲを生成し、これをＶｏＩＰサーバ４に送信するのである。
【００３０】
ＶｏＩＰ端末装置３２は、交換機３４から呼出要求信号ＣＸBが供給されると、上記ＶｏＩＰ端末装置３１と同様に、図５に示す如き呼出要求パケット送出フローに従った制御動作を実行する。
【００３１】
図５において、先ず、ＶｏＩＰ端末装置３２は、図３（ａ）又は図３（ｂ）に示す如き呼出要求信号ＣＸBにて示されている番号が加入者電話番号であるか否かを判定する（ステップＳ５１）。例えば、加入者電話番号の先頭の３つの数字列は「０５０」であるので、ＶｏＩＰ端末装置３２は、この数字列が「０５０」であるか否かを判定することにより、呼出要求信号ＣＸBにて示されている番号が加入者電話番号であるか否かを判定する。かかるステップＳ５１において、加入者電話番号ではないと判定された場合、ＶｏＩＰ端末装置３２は、呼出要求信号ＣＸBにて示されている番号中の例えば先頭から２番目までの数字列を交換機局番として抽出する（ステップＳ５２）。次に、ＶｏＩＰ端末装置３２は、かかる交換機局番が割り当てられている交換機に対応したＶｏＩＰ端末装置の加入者電話番号を内蔵メモリ内から検索する（ステップＳ５３）。次に、ＶｏＩＰ端末装置３２は、このＶｏＩＰ端末装置の加入者電話番号と、呼出要求信号ＣＸBにて示されている呼出先の内線閉番号とを図６（ａ）の如く配列してパケット化した呼出要求パケットＣＲを生成し、これをＩＰネットワーク１を介してＶｏＩＰサーバ４に送信する（ステップＳ５４）。一方、上記ステップＳ５１において、呼出要求信号ＣＸBにて示されている番号が加入者電話番号であると判定された場合、ＶｏＩＰ端末装置３２は、呼出要求信号ＣＸBにて示されている加入者電話番号をパケット化した図６（ｂ）に示す如き呼出要求パケットＣＲを生成し、これをＩＰネットワーク１を介してＶｏＩＰサーバ４に送信する（ステップＳ５５）。
【００３２】
すなわち、ＶｏＩＰ端末装置３２は、交換機３４から呼出要求信号ＣＸBが供給されると、かかる呼出要求信号ＣＸBに基づき図６（ａ）又は図６（ｂ）に示す如き呼出要求パケットＣＲを生成し、これをＶｏＩＰサーバ４に送信するのである。
【００３３】
ＶｏＩＰサーバ４は、各加入者毎にＩＰアドレスと加入者電話番号とが対応づけして登録されているデータベース（図示せぬ）を備えている。すなわち、図１に示す実施例においては、加入者電話機２、ＶｏＩＰ端末装置３１及び３２各々に割り当てられている加入者電話番号の各々と、ＩＰアドレスとが対応付けしてデータベースに登録されている。
【００３４】
ＶｏＩＰサーバ４は、上記呼出要求パケットＣＲを受信すると、図７に示す如き呼出指令パケット送出フローに従った制御動作を実行する。
【００３５】
図７において、先ず、ＶｏＩＰサーバ４は、図６（ａ）又は図６（ｂ）に示す如き呼出要求パケットＣＲにて示されている呼出先の加入者電話番号に対応したＩＰアドレスをデータベース内から検索する（ステップＳ７１）。次に、ＶｏＩＰサーバ４は、呼出要求パケットＣＲ中に内線閉番号情報が含まれているか否かを判定する（ステップＳ７２）。ステップＳ７２において内線閉番号情報が含まれていると判定された場合、ＶｏＩＰサーバ４は、上記ＩＰアドレスを送信先として、上記内線閉番号情報を含む内線呼出指令パケットＣＣをＩＰネットワーク１上に送出する（ステップＳ７３）。かかるステップＳ７３の実行により、内線閉番号情報を含む内線呼出指令パケットＣＣがＶｏＩＰ端末装置３１又は３２に送信される。この際、ＶｏＩＰ端末装置３１は、ＶｏＩＰサーバ４から供給された内線呼出指令パケットＣＣ中から内線閉番号情報を抽出しこの内線閉番号を示す呼出指令信号ＩＸAを交換機３３に供給する。又、この際、ＶｏＩＰ端末装置３２は、ＶｏＩＰサーバ４から供給された内線呼出指令パケットＣＣ中から内線閉番号情報を抽出しこの内線閉番号を示す呼出指令信号ＩＸBを交換機３４に供給する。
【００３６】
又、上記ステップＳ７２において、内線閉番号情報が含まれていないと判定された場合、ＶｏＩＰサーバ４は、上記ＩＰアドレスを送信先として外線呼出指令パケットＣＳをＩＰネットワーク１上に送出する（ステップＳ７４）。かかるステップＳ７３の実行により、外線呼出指令パケットＣＳがＩＰネットワーク１上に設置されている加入者電話機２に供給される。この際、かかる外線呼出指令パケットＣＳに応じて加入者電話機２の内蔵スピーカから着信音呼出音が音響出力される。
【００３７】
次に、図１に示す電話システムの動作について、構内電話システム３の電話機３５1から内線電話を掛ける場合と、外線電話を掛ける場合とを例にとって説明する。
【００３８】
図８は、電話機３５1から電話機３５3に内線電話を掛ける場合に、この電話機３５1が電話機３５3を呼び出すまでに実施される伝送動作を表す図である。
【００３９】
尚、ＶｏＩＰ端末装置３１及び３２各々には、
ＶｏＩＰ端末装置３１：「０５０１１１１」
ＶｏＩＰ端末装置３２：「０５０２２２２」
なる加入者電話番号が夫々割り当てられており、
加入者電話機２には、
「０５０９９９９」
なる加入者電話番号が割り当てられているものとする。
【００４０】
又、交換機３３及び３４には共通の回線捕捉特番「９０」が割り当てられていると共に、夫々に、
交換機３３：「８１」
交換機３４：「８２」
なる交換機局番が割り当てられているものとする。
【００４１】
更に、電話機３５1〜３５4各々には、
電話機３５1：「００１」
電話機３５2：「００２」
電話機３５3：「００３」
電話機３５4：「００４」
なる内線閉番号が割り当てられているものとする。
【００４２】
先ず、電話機３５1の使用者が電話機３５3を呼び出すべく、
[回線捕捉特番]−[電話機353に対応した交換機局番]−[電話機353の内線閉番号］
なる番号列を入力する。
【００４３】
すなわち、使用者は、
９０−８２−００３
なる番号列を電話機３５1に入力する。
【００４４】
すると、電話機３５1は、図９（ａ）に示す如き呼出要求信号ＣＬ1を生成し、これを図８に示す如く交換機３３に供給する。
【００４５】
交換機３３は、呼出要求信号ＣＬ1を受信すると、その呼出要求信号ＣＬ1にて示される回線捕捉特番「９０」に対応した回線を捕捉することによりＶｏＩＰ端末装置３１との回線を確保し、この呼出要求信号ＣＬ1中から上記回線捕捉特番を除いた呼出要求信号ＣＸAを図８に示す如くＶｏＩＰ端末装置３１に供給する。
【００４６】
ＶｏＩＰ端末装置３１は、呼出要求信号ＣＸAを受信すると、図５に示す如き呼出要求パケット送出フローに従った制御を実行する。これにより、ＶｏＩＰ端末装置３１は、呼出要求信号ＣＸA中の交換機局番「８２」に対応した加入者電話番号「０５０２２２２」を検索し、この「０５０２２２２」と、呼出先の内線閉番号「００３」とを示す図９（ｂ）の如き呼出要求パケットＣＲをＶｏＩＰサーバ４に送出する。
【００４７】
ＶｏＩＰサーバ４は、かかる呼出要求パケットＣＲを受信すると、図７に示す如き呼出指令パケット送出フローに従った制御を実行する。これにより、ＶｏＩＰサーバ４は、図９（ｂ）の呼出要求パケットＣＲにて示される加入者電話番号「０５０２２２２」に対応したＩＰアドレスを検索し、このＩＰアドレスを送信先として呼出要求パケットＣＲ中の内線閉番号「００３」を含む内線呼出指令パケットＣＣをＩＰネットワーク１上に送出する。すなわち、ＶｏＩＰサーバ４は、加入者電話番号「０５０２２２２」が割り当てられているＶｏＩＰ端末装置３２に対して、内線閉番号「００３」を含む内線呼出指令パケットＣＣを送信するのである。
【００４８】
交換機３４は、上記内線呼出指令パケットＣＣの受信に応じて、図４（ｂ）に示す如き呼出電話選択フローに従った制御を実行する。これにより、交換機３４は、内線呼出指令パケットＣＣにて示される内線閉番号「００３」に対応した電話機３５3に呼出信号ＩＮ3を供給する。この際、電話機３５3は、かかる呼出信号ＩＮ3に応じてその内蔵スピーカから着信呼出音を音響出力する。
【００４９】
このように、図８に示す如き動作によれば、構内電話システム３内の電話機３５1から、公衆のＩＰネットワーク１を介して電話機３５3への内線呼出しが為されるのである。
【００５０】
次に、構内電話システム３の電話機３５1から加入者電話機２０に対して外線電話を掛ける場合の動作について説明する。
【００５１】
図１０は、電話機３５1が加入者電話機２０を呼び出すまでに実施される伝送動作を表す図である。
【００５２】
先ず、電話機３５1の使用者は、加入者電話機２０を呼び出すべく、
[回線捕捉特番]−[加入者電話機２０の加入者電話番号］
なる番号列を入力する。
【００５３】
すなわち、使用者は、
９０−０５０９９９９
なる番号列を電話機３５1に入力する。
【００５４】
すると、電話機３５1は、図１１（ａ）に示す如き回線捕捉特番「９０」及び加入者電話番号「０５０９９９９」を示す呼出要求信号ＣＬ1を生成し、これを交換機３３に供給する。
【００５５】
交換機３３は、かかる呼出要求信号ＣＬ1を受信すると、その呼出要求信号ＣＬ1にて示される回線捕捉特番「９０」に対応した回線を捕捉することによりＶｏＩＰ端末装置３１との回線を確保する。そして、この呼出要求信号ＣＬ1中から回線捕捉特番「９０」を省いた内容を示す呼出要求信号ＣＸAをＶｏＩＰ端末装置３１に供給する。
【００５６】
ＶｏＩＰ端末装置３１は、かかる呼出要求信号ＣＸAを受信すると、この呼出要求信号ＣＸAによって示される加入者電話番号「０５０９９９９」を示す図１１（ｂ）に示す如き呼出要求パケットＣＲをＩＰネットワーク１を介してＶｏＩＰサーバ４に送出する。
【００５７】
ＶｏＩＰサーバ４は、かかる呼出要求パケットＣＲを受信すると、図７に示す如き呼出指令パケット送出フローに従った制御を実行する。これにより、ＶｏＩＰサーバ４は、図１１（ｂ）の呼出要求パケットＣＲにて示される加入者電話番号「０５０９９９９」に対応したＩＰアドレスを検索し、このＩＰアドレスを送信先として外線呼出指令パケットＣＳをＩＰネットワーク１上に送出する。すなわち、ＶｏＩＰサーバ４は、加入者電話番号「０５０９９９９」が割り当てられている加入者電話機２に対して呼出を指示する為の外線呼出指令パケットＣＳを送信するのである。
【００５８】
加入者電話機２は、かかる呼出指令パケットを受信すると、その内蔵スピーカ（図示せぬ）から着信呼出音を音響出力する。
【００５９】
図１１に示す如き動作により、公衆のＩＰネットワーク１を介して、構内電話システム３内の電話機３５1から加入者電話機２０への外線呼出しが為されるのである。
【００６０】
以上の如く、図１に示される電話システムにおいては、内線閉番号が割り当てられている電話機からの呼出に応じて、通信端末装置（ＶｏＩＰ端末装置＋交換機）が、呼出先の電話機に対応した内線閉番号及びこの電話機が接続されている通信端末装置に割り当てられている加入者電話番号を夫々示す呼出要求パケットを、公衆ネットワーク上に設置されているサーバに対して行う。サーバは、かかる呼出要求パケットを受信すると、この呼出要求パケットにて示される加入者電話番号に対応したアドレスを送信先として、呼出先の電話機に対応した内線閉番号を示す呼出指令パケットを公衆ネットワーク上に送出する。かかる呼出指令パケットを受信した通信端末装置は、この呼出指令パケットにて示される内線閉番号が割り当てられている電話機に対して内線呼出を行う。
【００６１】
かかる構成によれば、公衆のＩＰネットワークを利用することによりＶｏＩＰ技術を採用した内線電話網を構築することができるので、既存のＬＡＮ又はＷＡＮ等のネットワーク網をＶｏＩＰ用に再構築、あるいは新規にＶｏＩＰ専用のネットワークシステムを構築する必要が無くなる。
【００６２】
尚、図１に示される電話システムにおいては、加入者電話番号が割り当てられている加入者電話機２を１つだけ示しているが、実際には、各加入者毎に複数の加入者電話機２がＩＰネットワーク１上に接続されている。又、構内電話システム３内では、ＶｏＩＰ端末装置及び交換機を夫々２台ずつ設置するようにしているが、その設置台数は２つに限られず、３つ以上の複数であっても良い。又、構内電話システム３では、１つの交換機に２つの電話機を接続するようにしているが、その数は、１又は３つ以上の複数であっても構わない。要するに、１つの交換機に少なくとも１つの電話機が接続されていれば良いのである。
【図面の簡単な説明】
【００６３】
【図１】電話システムの構成を示す図である。
【図２】呼出要求信号ＣＬにて示される情報の一例を示す図である。
【図３】呼出要求信号ＣＸにて示される情報の一例を示す図である。
【図４】図１に示される交換機３３及び３４によって実行される呼出電話選択フローを示す図である。
【図５】図１に示されるＶｏＩＰ端末装置３１及び３２によって実行される呼出要求パケット送出フローを示す図である。
【図６】呼出要求パケットＣＲのフォーマットを示す図である。
【図７】図１に示されるＶｏＩＰサーバ４によって実行される呼出指令パケット送出フローを示す図である。
【図８】電話機３５1から電話機３５3に内線電話を掛ける場合に、電話機３５1が電話機３５3を呼び出すまでに実施される伝送動作を表す図である。
【図９】図８に示される伝送動作時に生成される呼出要求信号ＣＬ1及び呼出要求パケットＣＲの一例を示す図である。
【図１０】電話機３５1から加入者電話機２０に外線電話を掛ける場合に、電話機３５1が加入者電話機２０を呼び出すまでに実施される伝送動作を表す図である。
【図１１】図１０に示される伝送動作時に生成される呼出要求信号ＣＬ1及び呼出要求パケットＣＲの一例を示す図である。
【符号の説明】
【００６４】
１      ＩＰネットワーク
２      加入者電話機
３      構内電話システム
４      ＶｏＩＰサーバ
31,32    ＶｏＩＰ端末装置
33,34    交換機
351〜354  電話機
【図１】
2005236725.tif 000003
【図２】
2005236725.tif 000004
【図３】
2005236725.tif 000005
【図４】
2005236725.tif 000006
【図５】
2005236725.tif 000007
【図６】
2005236725.tif 000008
【図７】
2005236725.tif 000009
【図８】
2005236725.tif 000010
【図９】
2005236725.tif 000011
【図１０】
2005236725.tif 000012
【図１１】
2005236725.tif 000013